(57)【要約】【課題】  音声通話専用の既存のインターホンシステムを、簡単且つ低コストで、テレビインターホンシステムに変更できるようにする。【解決手段】  集合住宅の玄関に設置された集合玄関機１２と各住戸に設置された居室親機２２とを備え、標準制御機３０が制御幹線３８及び音声幹線３２を介して制御信号及び音声信号を送受信することにより、集合玄関機１２と居室親機２２との間の通話を制御するシステムにおいて、集合玄関機１２側にカメラ１４及び映像制御機４０を設置し、各住戸に居室モニタ２４を設置して、システムをテレビインターホンシステムに変更する際には、映像制御機４０からの映像信号と標準制御機３０からの制御信号とを混合器５０にて混合して制御幹線３８に送出し、各住戸側では、その伝送信号を分波器５１にて制御信号と映像信号とに分離し、居室親機２２及び居室モニタ２４に出力するよう構成する。【選択図】  図１
2005229421.tif 000002
【特許請求の範囲】
【請求項１】
住宅の玄関に設置される玄関機と、
住宅の居室内に設置される居室機と、
前記玄関機からの指令に従い、前記居室機との間で、通話制御用の制御信号を制御信号伝送用の制御幹線を介して送受信することにより、前記玄関機と前記居室機との間の通話を制御すると共に、該通話制御の下で前記玄関機と居室機との間で送受信される通話用の音声信号を、音声信号伝送用の音声幹線を介して中継する制御機と、
を備えたインターホンシステムにおいて、
前記玄関機側に、
画像撮像用の撮像手段と、
該撮像手段による撮像画像を伝送用の映像信号に変換して出力する映像出力手段と、
該映像出力手段から出力された映像信号と前記制御機から出力された制御信号とを混合して前記制御幹線に出力する混合器と、
を設け、
前記居室機側に、
前記撮像手段による撮像画像表示用の表示手段と、
前記制御幹線を介して前記玄関機側から伝送されてきた伝送信号を制御信号と映像信号とに分離し、該分離した制御信号と映像信号とをそれぞれ前記居室機及び前記表示手段に出力する分波器と、
を設けたことを特徴とするインターホンシステム。
【請求項２】
住宅の玄関に設置される玄関機と、
住宅の居室内に設置される居室機と、
前記玄関機からの指令に従い、前記居室機との間で、通話制御用の制御信号を制御信号伝送用の制御幹線を介して送受信することにより、前記玄関機と前記居室機との間の通話を制御すると共に、該通話制御の下で前記玄関機と居室機との間で送受信される通話用の音声信号を、音声信号伝送用の音声幹線を介して中継する制御機と、
を備えたインターホンシステムにおいて、
前記玄関機側に、
画像撮像用の撮像手段と、
該撮像手段による撮像画像を伝送用の映像信号に変換して出力する映像出力手段と、
該映像出力手段から出力された映像信号と前記制御機から出力された音声信号とを混合して前記音声幹線に出力する混合器と、
を設け、
前記居室機側に、
前記撮像手段による撮像画像表示用の表示手段と、
前記音声幹線を介して前記玄関機側から伝送されてきた伝送信号を音声信号と映像信号とに分離し、該分離した音声信号と映像信号とをそれぞれ前記居室機及び前記表示手段に出力する分波器と、
を設けたことを特徴とするインターホンシステム。
【請求項３】
住宅の玄関に設置される玄関機と、
住宅の居室内に設置される居室機と、
前記玄関機からの指令に従い、前記居室機との間で、通話制御用の制御信号を制御信号伝送用の制御幹線を介して送受信することにより、前記玄関機と前記居室機との間の通話を制御すると共に、該通話制御の下で前記玄関機と居室機との間で送受信される通話用の音声信号を前記幹線を介して中継する制御機と、
を備えたインターホンシステムにおいて、
前記玄関機側に、
画像撮像用の撮像手段と、
該撮像手段による撮像画像を伝送用の映像信号に変換して出力する映像出力手段と、
該映像出力手段から出力された映像信号と前記制御機から出力された音声信号及び制御信号とを混合して前記幹線に出力する混合器と、
を設け、
前記居室機側に、
前記撮像手段による撮像画像表示用の表示手段と、
前記幹線を介して前記玄関機側から伝送されてきた伝送信号を音声信号と制御信号と映像信号とに分離し、該分離した音声信号と制御信号とを前記居室機に出力すると共に、前記映像信号を前記表示手段に出力する分波器と、
を設けたことを特徴とするインターホンシステム。
【請求項４】
前記住宅は複数の住戸からなる集合住宅であり、
前記居室機は、該複数の住戸毎にそれぞれ設置され、
前記制御機は、前記玄関機からの指令に従い制御信号を送信することにより、前記複数の住戸毎に設置された居室機の一つを呼び出し、その後、該呼出に応答してきた特定の居室機との間で前記制御信号及び音声信号を送受信することにより前記通話制御を実行すると共に、該特定の居室機に対して、前記映像出力手段から前記映像信号を送信させることを特徴とする請求項１〜請求項３何れか記載のインターホンシステム。
【請求項５】
前記映像出力手段は、前記撮像画像から生成した伝送用の映像信号に、前記居室機側の表示手段を動作させるための直流電源電圧を重畳して出力するよう構成され、
前記混合器及び分波器は、前記直流電源電圧が重畳された映像信号を入出力可能に構成され、
前記表示手段は、前記映像信号と共に玄関機側から伝送されてきた直流電源電圧を受けて動作するよう構成されたことを特徴とする請求項１〜請求項４何れか記載のインターホンシステム。
【請求項６】
請求項１に記載のインターホンシステムにおいて前記混合器又は前記分波器として使用される信号伝送装置であって、
前記制御信号と前記映像信号とをそれぞれ選択的に通過させる２種類のフィルタと、
該２種類のフィルタの内、前記制御信号を通過させるフィルタの一方の信号入出力端に接続された制御信号入出力端子と、
該２種類のフィルタの内、前記映像信号を通過させるフィルタの一方の信号入出力端に接続された映像信号入出力端子と、
前記２種類のフィルタの他方の信号入出力端にそれぞれ接続され、前記制御信号と映像信号とが混合された伝送信号を入出力するための伝送信号入出力端子と、
を備えたことを特徴とする信号伝送装置。
【請求項７】
請求項２に記載のインターホンシステムにおいて前記混合器又は前記分波器として使用される信号伝送装置であって、
前記音声信号と前記映像信号とをそれぞれ選択的に通過させる２種類のフィルタと、
該２種類のフィルタの内、前記音声信号を通過させるフィルタの一方の信号入出力端に接続された音声信号入出力端子と、
前記２種類のフィルタの内、前記映像信号を通過させるフィルタの一方の信号入出力端に接続された映像信号入出力端子と、
前記２種類のフィルタの他方の信号入出力端にそれぞれ接続され、前記音声信号と映像信号とが混合された伝送信号を入出力するための伝送信号入出力端子と、
を備えたことを特徴とする信号伝送装置。
【請求項８】
請求項３に記載のインターホンシステムにおいて前記混合器又は前記分波器として使用される信号伝送装置であって、
前記音声信号と前記制御信号と前記映像信号とをそれぞれ選択的に通過させる３種類のフィルタと、
該３種類のフィルタの内、前記音声信号を通過させるフィルタの一方の信号入出力端に接続された音声信号入出力端子と、
前記３種類のフィルタの内、前記制御信号を通過させるフィルタの一方の信号入出力端に接続された制御信号入出力端子と、
前記３種類のフィルタの内、前記映像信号を通過させるフィルタの一方の信号入出力端に接続された映像信号入出力端子と、
前記３種類のフィルタの他方の信号入出力端にそれぞれ接続され、前記制御信号と前記音声信号と前記映像信号とが混合された伝送信号を入出力するための伝送信号入出力端子と、
を備えたことを特徴とする信号伝送装置。
【請求項９】
前記各フィルタは直流信号成分の通過を遮断するよう構成され、
前記映像信号入出力端子と前記伝送信号入出力端子との間には、直流信号成分のみを選択的に通過させる直流通過フィルタが設けられていることを特徴とする請求項６〜請求項８何れか記載の信号伝送装置。
【請求項１０】
前記複数のフィルタの少なくとも一つは、当該フィルタに接続される信号入出力端子との間に、インピーダンス整合用のトランスを備えたことを特徴とする請求項６〜請求項９何れか記載の信号伝送装置。
【発明の詳細な説明】
【技術分野】
【０００１】
本発明は、玄関機と居室機とを有し、これら各部の間で送受信される通話用の制御信号や音声信号等を伝送線を介して伝送するインターホンシステム、及び、このシステムで使用される信号伝送装置に関する。
【背景技術】
【０００２】
従来より、マンション、アパート等の集合住宅において、各住戸共用の玄関部分に集合玄関機を設置すると共に、各住戸の居室内に居室親機を設置し、更に、これら各部を通話用の制御信号や音声信号を伝送するための幹線を介して接続することにより、来訪者が、集合玄関機を介して所望の住戸の居室親機を選択的に呼び出し、その呼び出しに対して居室親機を介して応答してきた住人との間で会話ができるようにしたインターホンシステムが知られている。
【０００３】
また、こうしたインターホンシステムには、集合玄関機側に来訪者の画像を撮像するためのカメラを設置し、居室親機側にはそのカメラによる撮像画像を表示するディスプレイを設置し、住人が来訪者と会話する際には、カメラによる撮像画像を伝送用の映像信号に変換してディスプレイまで伝送することにより、住人が来訪者を視覚的に確認することができるようにした所謂テレビインターホンシステムも知られている（例えば、特許文献１、特許文献２等、参照。）。
【特許文献１】特開２００２−１５８７８４号公報
【特許文献２】特開２００３−１７８３８２号公報
【発明の開示】
【発明が解決しようとする課題】
【０００４】
ところで、従来のテレビインターホンシステムにおいて、集合玄関機側で撮像された映像信号を各住戸迄伝送する伝送線には、通話のための音声信号や制御信号を伝送する伝送線（音声幹線、制御幹線）とは別に、映像信号伝送専用の映像幹線が用いられていた。
【０００５】
このため、カメラやディスプレイを備えていない音声通話専用の既存のインターホンシステムを、テレビインターホンシステムに変更するには、単に集合玄関機や居室親機をカメラ付き或いはディスプレイ付きのものに変更するだけではなく、集合住宅内に、集合玄関機と各住戸の居室親機との間で映像信号を伝送するための映像幹線を新たに配線しなければならず、その変更作業が極めて煩雑になり、コストがかかるという問題があった。また、建造物によっては、映像幹線を配線するのが困難で、既存のインターホンシステムをテレビインターホンシステムに変更することができないこともあった。
【０００６】
そして、こうした問題は、集合住宅に限らず、一戸建て住宅において、音声通話専用の既存のインターホンシステムを、テレビインターホンシステムに変更する場合にも、同様に発生している。
【０００７】
本発明は、こうした問題に鑑みなされたもので、音声通話専用の既存のインターホンシステムを、簡単且つ低コストで、テレビインターホンシステムに変更し得るインターホンシステム、及び、そのインターホンシステムを実現するのに好適な信号伝送装置を提供することを目的とする。
【課題を解決するための手段】
【０００８】
かかる目的を達成するためになされた請求項１に記載のインターホンシステムにおいては、玄関機と居室機とを備え、制御機が、玄関機からの指令に従い通話制御用の制御信号を制御信号伝送用の制御幹線を介して居室機に送信することにより、玄関機と居室機との間の通話を制御すると共に、その通話制御の下で玄関機と居室機との間で送受信される通話用の音声信号を、音声信号伝送用の音声幹線を介して中継する。
【０００９】
そして、玄関機側には、画像撮像用の撮像手段と、この撮像手段による撮像画像を伝送用の映像信号に変換して出力する映像出力手段と、混合器とが設けられ、この混合器が、映像出力手段から出力された映像信号と制御機から出力された制御信号とを混合して、制御幹線に出力する。
【００１０】
また、居室機側には、撮像手段による撮像画像を表示するための表示手段と、分波器とが設けられ、分波器が、制御幹線を介して玄関機側から伝送されてきた伝送信号を制御信号と映像信号とに分離し、その分離した制御信号と映像信号とをそれぞれ居室機及び表示手段に出力する。
【００１１】
つまり、請求項１に記載のインターホンシステムでは、混合器と分波器とを利用することにより、玄関機側に設けられた撮像手段により撮像されて映像出力手段から出力される映像信号を、制御信号伝送用の制御幹線を介して、居室機側の表示手段まで伝送する。
【００１２】
従って、本発明のインターホンシステムによれば、音声通話専用の既存のインターホンシステムをテレビインターホンシステムに変更する際に、従来のように住宅内に映像信号伝送用の映像幹線を配線することなく、住宅内に配線されている既存の制御幹線と混合器及び分波器とを利用して、映像信号を伝送させることができるようになり、テレビインターホンシステムを極めて簡単且つ低コストで実現することが可能になる。
【００１３】
次に、請求項２に記載のインターホンシステムにおいては、請求項１に記載のインターホンシステムと同様、玄関機と居室機とを備え、制御機が、玄関機からの指令に従い通話制御用の制御信号を制御信号伝送用の制御幹線を介して居室機に送信することにより、玄関機と居室機との間の通話を制御すると共に、その通話制御の下で玄関機と居室機との間で送受信される通話用の音声信号を、音声信号伝送用の音声幹線を介して中継する。
【００１４】
そして、玄関機側には、画像撮像用の撮像手段と、この撮像手段による撮像画像を伝送用の映像信号に変換して出力する映像出力手段と、混合器とが設けられ、この混合器が、映像出力手段から出力された映像信号と制御機から出力された音声信号とを混合して音声幹線に出力する。
【００１５】
また、居室機側には、撮像手段による撮像画像を表示するための表示手段と、分波器とが設けられ、分波器が、音声幹線を介して玄関機側から伝送されてきた伝送信号を音声信号と映像信号とに分離し、その分離した音声信号と映像信号とをそれぞれ居室機及び表示手段に出力する。
【００１６】
つまり、請求項２に記載のインターホンシステムでは、混合器と分波器とを利用することにより、玄関機側に設けられた撮像手段により撮像されて映像出力手段から出力される映像信号を、音声信号伝送用の音声幹線を介して、居室機側の表示手段まで伝送する。
【００１７】
従って、本発明のインターホンシステムによれば、音声通話専用の既存のインターホンシステムをテレビインターホンシステムに変更する際に、従来のように住宅内に映像信号伝送用の映像幹線を配線することなく、住宅内に配線されている既存の音声幹線と、混合器及び分波器とを利用して、映像信号を伝送させることができるようになり、テレビインターホンシステムを極めて簡単且つ低コストで実現することが可能になる。
【００１８】
また次に、請求項３に記載のインターホンシステムにおいては、玄関機と居室機とを備え、制御機が、玄関機からの指令に従い通話制御用の制御信号を信号伝送用の幹線を介して居室機に送信することにより、玄関機と居室機との間の通話を制御すると共に、その通話制御の下で玄関機と居室機との間で送受信される通話用の音声信号を、制御信号と同じ幹線を介して中継する。
【００１９】
そして、玄関機側には、  画像撮像用の撮像手段と、この撮像手段による撮像画像を伝送用の映像信号に変換して出力する映像出力手段と、混合器とが設けられ、この混合器が、映像出力手段から出力された映像信号と制御機から出力された音声信号及び制御信号とを混合して、各信号伝送用の幹線に出力する。
【００２０】
また、居室機側には、撮像手段による撮像画像表示用の表示手段と、分波器とが設けられ、分波器が、幹線を介して玄関機側から伝送されてきた伝送信号を音声信号と制御信号と映像信号とに分離し、その分離した音声信号と制御信号とを居室機に出力すると共に、映像信号を表示手段に出力する。
【００２１】
つまり、請求項３に記載のインターホンシステムでは、混合器と分波器とを利用することにより、玄関機側に設けられた撮像手段により撮像されて映像出力手段から出力される映像信号を、音声信号及び制御信号伝送用の幹線を介して、居室機側の表示手段まで伝送する。
【００２２】
従って、本発明のインターホンシステムによれば、音声通話専用の既存のインターホンシステムをテレビインターホンシステムに変更する際に、従来のように住宅内に映像信号伝送用の映像幹線を配線することなく、住宅内に配線されている既存の幹線と、混合器及び分波器とを利用して、映像信号を含む全ての伝送信号を伝送させることができるようになり、テレビインターホンシステムを極めて簡単且つ低コストで実現することが可能になる。
【００２３】
以上説明したように本発明（請求項１〜請求項３）のインターホンシステムにおいては、制御信号伝送用の制御幹線、音声信号伝送用の音声幹線、又は、制御信号と音声信号とを伝送するための幹線を、映像信号伝送用の映像幹線としても利用することにより、映像信号専用の映像幹線を配線することなく、テレビインターホンシステムを構築できるようにしているのであるが、こうした本発明（請求項１〜請求項３）のインターホンシステムは、玄関機と一つの居室機とから成る一戸建て住宅用のインターホンシステムであっても、或いは、請求項４に記載のように、居室機が、集合住宅の各住戸毎に設置され、制御機が、玄関機からの指令に従い制御信号を送信することにより、各住戸毎に設置された居室機の一つを呼び出し、その後、その呼出に応答してきた特定の居室機との間で制御信号及び音声信号を送受信することにより通話制御を実行すると共に、その特定の居室機に対して、映像出力手段から映像信号を送信させるように構成された、集合住宅用のインターホンシステムであっても適用できる。
【００２４】
そして、特に、集合住宅用のインターホンシステムに本発明を適用すれば、集合住宅内の各住戸毎に映像信号を伝送するための映像幹線を配線する必要がないため、本発明の効果をより発揮することができる。
【００２５】
なお、従来よりテレビインターホンシステムにおいては、居室機と共に居室内に設置される表示手段に対して、玄関機側から電源を供給するようにしたものが知られているが、本発明（請求項１〜請求項４）を利用してこうしたテレビインターホンシステムを構築する際には、請求項５に記載のように、映像出力手段を、撮像画像から生成した伝送用の映像信号に、居室機側の表示手段を動作させるための直流電源電圧を重畳して出力するよう構成し、混合器及び分波器を、直流電源電圧が重畳された映像信号を入出力可能に構成し、表示手段を、映像信号と共に玄関機側から伝送されてきた直流電源電圧を受けて動作するよう構成すればよい。
【００２６】
一方、請求項６に記載の発明は、上述した請求項１に記載のインターホンシステムにおいて、混合器又は分波器として使用するのに好適な信号伝送装置に関する。
そして、この信号伝送装置においては、制御信号と映像信号とをそれぞれ選択的に通過させる２種類のフィルタと、この２種類のフィルタの内、制御信号を通過させるフィルタの一方の信号入出力端に接続された制御信号入出力端子と、同じく映像信号を通過させるフィルタの一方の信号入出力端に接続された映像信号入出力端子と、２種類のフィルタの他方の信号入出力端にそれぞれ接続され、制御信号と映像信号とが混合された伝送信号を入出力するための伝送信号入出力端子と、を備えたことを特徴とする。
【００２７】
従って、この請求項６に記載の信号伝送装置によれば、制御信号入出力端子と映像信号入出力端子とに、それぞれ、制御信号及び映像信号を入力すれば、これら各信号を混合して伝送信号入出力端子から出力する混合器として機能させることができ、逆に、伝送信号入出力端子に、制御信号と映像信号とが混合された伝送信号を入力すれば、この伝送信号を制御信号と映像信号とに分離して、これら各信号を制御信号入出力端子及び映像信号入出力端子から各々出力する分波器として機能させることができる。
【００２８】
よって、この請求項６に記載の信号伝送装置を利用すれば、請求項１に記載のインターホンシステムを容易に構築できる。
次に、請求項７に記載の発明は、上述した請求項２に記載のインターホンシステムにおいて、混合器又は分波器として使用するのに好適な信号伝送装置に関する。
【００２９】
そして、この信号伝送装置においては、音声信号と映像信号とをそれぞれ選択的に通過させる２種類のフィルタと、この２種類のフィルタの内、音声信号を通過させるフィルタの一方の信号入出力端に接続された音声信号入出力端子と、同じく映像信号を通過させるフィルタの一方の信号入出力端に接続された映像信号入出力端子と、２種類のフィルタの他方の信号入出力端にそれぞれ接続され、音声信号と映像信号とが混合された伝送信号を入出力するための伝送信号入出力端子と、を備えたことを特徴とする。
【００３０】
従って、この請求項７に記載の信号伝送装置によれば、音声信号入出力端子と映像信号入出力端子とに、それぞれ、音声信号及び映像信号を入力すれば、これら各信号を混合して伝送信号入出力端子から出力する混合器として機能させることができ、逆に、伝送信号入出力端子に、音声信号と映像信号とが混合された伝送信号を入力すれば、この伝送信号を音声信号と映像信号とに分離して、これら各信号を音声信号入出力端子及び映像信号入出力端子から各々出力する分波器として機能させることができる。
【００３１】
よって、この請求項７に記載の信号伝送装置を利用すれば、請求項２に記載のインターホンシステムを容易に構築できることになる。
また次に、請求項８に記載の発明は、上述した請求項３に記載のインターホンシステムにおいて、混合器又は分波器として使用するのに好適な信号伝送装置に関する。
【００３２】
そして、この信号伝送装置においては、音声信号と制御信号と映像信号とをそれぞれ選択的に通過させる３種類のフィルタと、この３種類のフィルタの内、音声信号を通過させるフィルタの一方の信号入出力端に接続された音声信号入出力端子と、同じく制御信号を通過させるフィルタの一方の信号入出力端に接続された制御信号入出力端子と、同じく映像信号を通過させるフィルタの一方の信号入出力端に接続された映像信号入出力端子と、３種類のフィルタの他方の信号入出力端にそれぞれ接続され、制御信号と音声信号と映像信号とが混合された伝送信号を入出力するための伝送信号入出力端子と、を備えたことを特徴とする。
【００３３】
従って、この請求項８に記載の信号伝送装置によれば、音声信号入出力端子、制御信号入出力端子、及び、映像信号入出力端子に、それぞれ、音声信号、制御信号、及び、映像信号を入力すれば、これら各信号を混合して伝送信号入出力端子から出力する混合器として機能させることができ、逆に、伝送信号入出力端子に、音声信号と制御信号と映像信号とが混合された伝送信号を入力すれば、この伝送信号を音声信号と制御信号と映像信号とに分離して、これら各信号を、音声信号入出力端子、制御信号入出力端子、及び、映像信号入出力端子から各々出力する分波器として機能させることができる。
【００３４】
よって、この請求項８に記載の信号伝送装置を利用すれば、請求項３に記載のインターホンシステムを容易に構築できることになる。
このように請求項６〜請求項８に記載の信号伝送装置によれば、上述した本発明のインターホンシステムを容易に構築することができるようになるのであるが、特に、請求項５に記載のインターホンシステムを構築には、更に、請求項９に記載のように、各フィルタを直流信号成分の通過を遮断するように構成し、映像信号入出力端子と伝送信号入出力端子との間には、直流信号成分のみを選択的に通過させる直流通過フィルタを設けるようにすればよい。
【００３５】
つまり、信号伝送装置をこのように構成すれば、映像信号に重畳された（或いは映像信号に重畳すべき）直流電源電圧を、直流通過フィルタを介して、映像信号入出力端子から伝送信号入出力端子（或いはその逆方向）へと通過させることができるようになり、居室内の表示手段に対して玄関機側から電源を供給するように構成された請求項５に記載のインターホンシステムを容易に構築できることになる。
【００３６】
なお、本発明（請求項１〜５）のインターホンシステムにおいては、制御信号伝送用の制御幹線、音声信号伝送用の音声幹線、若しくは、制御信号と音声信号とを伝送するための幹線を利用して、映像信号を伝送するようにしているが、これらの信号伝送用の幹線の伝送インピーダンスと、玄関機側又は居室機側の機器の入出力インピーダンスとが異なる場合には、信号品質を所定の範囲内に保ち、各機器を安定動作させるために、混合器或いは分波器として利用される信号伝送装置にて、そのインピーダンスの整合をとる必要がある。
【００３７】
そして、このためには、請求項１０に記載のように、信号伝送装置を構成する複数のフィルタの少なくとも一つと、このフィルタに接続される信号入出力端子との間に、インピーダンス整合用のトランスを設け、このトランスを利用して、インピーダンスを整合させるようにするとよい。
【発明を実施するための最良の形態】
【００３８】
以下に、本発明の実施形態を図面に基づいて説明する。
［第１実施例］
図１は、本発明が適用された第１実施例のインターホンシステムの概略構成を示すブロック図である。
【００３９】
本実施例のインターホンシステムは、複数の住戸からなる集合住宅に構築された所謂集合インターホンシステムであり、図１に示すように、集合住宅の共用玄関に設置されたカメラ付集合玄関機１０と、各住戸毎に居室内に設置された居室機２０とを備える。
【００４０】
ここで、カメラ付集合玄関機１０には、通話用のマイク及びスピーカや住戸呼出用の操作パネル等を備えた集合玄関機１２と、玄関の画像（つまり来訪者）を撮像する撮像手段としての集合玄関カメラ１４とが設けられており、居室機２０には、集合玄関機１２や図示しない玄関子機からの呼び出しを受けて通話を行うための受話器を有する居室親機２２と、集合玄関カメラ１４にて撮像された画像を表示する表示手段としての居室モニタ２４とが設けられている。
【００４１】
そして、集合玄関機１２は、標準制御機３０に接続されており、標準制御機３０は、集合玄関機１２の操作パネルを介して特定の住戸を指定する情報（具体的には部屋番号等）が入力されると、その指定情報に対応した住戸の居室機２０を呼び出し、その後、居室機２０から応答があると、居室機２０と集合玄関機１２との間の通話を許可して、集合玄関機１２と居室機２０との間で送受信される通話用の音声信号を中継する。
【００４２】
また、集合玄関カメラ１４は、映像出力手段としての映像制御機４０に接続されており、映像制御機４０は、集合玄関カメラ１４にて撮像された画像を伝送用の映像信号（例えば、ＦＭ変調信号）に変換し、その映像信号を、集合玄関機１２との間で通話を行っている居室機２９側に送信する。
【００４３】
また次に、集合住宅内には、標準制御機３０と各居室内の居室親機２２との間で通話用の音声信号を伝送するための音声幹線３２、及び、標準制御機３０と各居室内の居室親機２２との間で通話制御用の制御信号を伝送するための制御幹線３８が配線されている。
【００４４】
そして、これら音声幹線３２及び制御幹線３８には、各住戸毎に分岐器４２が設けられており、この分岐器４２と各住戸側の音声線４４又は制御線４８を介して、各居室内の居室親機２２に音声信号及び制御信号を入出力できるようにされている。
【００４５】
一方、集合住宅内には、映像制御機４０から出力された映像信号を伝送するための映像線は配線されていないものの、制御幹線３８のカメラ付集合玄関機１０側末端には、混合器５０が接続されており、映像制御機４０から出力された映像信号と標準制御機３０から出力された制御信号とを、それぞれ、映像線３６及び制御線３４を介して混合器５０に入力することにより、混合器５０にてこれら各信号を混合させ、その混合された伝送信号を、集合住宅内に配線された制御幹線３８を介して、各居室へと伝送するようにされている。
【００４６】
また、分岐器４２を介して制御幹線３８から分岐された制御線４８には、制御幹線３８を介してカメラ付集合玄関機１０側より伝送されてきた伝送信号を制御信号と映像信号とに分離し、その分離した制御信号及び映像信号をそれぞれ制御線４８及び映像線４９を介して居室親機２２及び居室モニタ２４に出力する、分波器５１が接続されている。
【００４７】
なお、音声幹線３２、制御幹線３８、音声線４４、制御線３４，４８、及び、映像線３６，４９は、それぞれ、ツイストペア線にて構成されている。
また、映像制御機４０には、各居室内の居室モニタ２４に電源供給を行うためのモニタ電源４１が内蔵されており、映像制御機４０は、集合玄関カメラ１４による撮像画像から生成した映像信号を、モニタ電源４１にて生成された給電用の直流電圧に重畳した信号（映像信号＋直流電圧）を出力する。
【００４８】
このため、混合器５０、分岐器４２及び分波器５１は、直流電源を通過可能に構成されており、各居室内の居室モニタ２４は、映像制御機４０から出力された直流電圧を受けて動作する。
【００４９】
このように構成された本実施例のインターホンシステムにおいては、カメラ付集合玄関機１０と居室機２０との間で、音声信号、制御信号、映像信号、及び、居室モニタ２４駆動用の直流電圧（ＤＣ）が伝送されるのであるが、本実施例では、図２（ａ）に示す如く、音声信号には、数百Ｈｚから数ｋＨｚ（例えば３００Ｈｚ〜５ｋＨｚ）の周波数を有する所謂ベースバンドの音声信号が使用され、制御信号には、５０ｋＨｚ〜１００ｋＨｚの間の２波（例えば、５０ｋＨｚと７０ｋＨｚの２つの搬送波）を利用してＦＳＫ変調された制御信号が使用され、映像信号には、上記のようにＦＭ変調された数ＭＨｚ〜十数ＭＨｚ（例えば、１ＭＨｚ〜１５ＭＨｚ）の映像信号が使用される。
【００５０】
そして、図２（ｂ）に示す如く、これら各信号の内、制御信号と映像信号と給電用の直流電圧（ＤＣ）とは、制御幹線３８を介して伝送され、音声信号は、音声幹線３２を介して伝送される。
【００５１】
従って、本実施例のインターホンシステムによれば、音声通話専用の既存の集合インターホンシステムをテレビインターホンシステムに変更する際に、従来のように集合住宅内に映像信号伝送用の映像幹線を配線することなく、集合住宅内に配線されている既存の制御幹線３８と混合器５０及び分波器５１とを利用して、映像信号を伝送することができるようになり、集合住宅において、テレビインターホンシステムを、簡単且つ低コストで実現できることになる。
【００５２】
次に、図３は、本実施例のインターホンシステムにおいて、混合器５０若しくは分波器５１として使用される信号伝送装置の構成を表す構成図である。
図３に示す如く、この信号伝送装置（混合器５０若しくは分波器５１）には、制御幹線３８又は分岐器４２の分岐端子に接続して、制御幹線３８に対して伝送信号を入出力するための伝送信号入出力端子ｔ１と、制御線３４又は４８に接続して制御信号を入出力するための制御信号入出力端子ｔ２と、映像線３６又は４９に接続して映像信号及び直流電圧を入出力するための映像信号入出力端子ｔ３と、映像信号を遮断して制御信号のみを通過させるためにカットオフ周波数が例えば１００ｋＨｚに設定されたローパスフィルタ（以下、ローパスフィルタをＬＰＦと記載する）５２と、制御信号を遮断して映像信号のみを通過させるためにカットオフ周波数が例えば１ＭＨｚに設定されたハイパスフィルタ（以下、ハイパスフィルタをＨＰＦと記載する）５４と、が備えられている。
【００５３】
そして、ＬＰＦ５２の一方の信号入出力端は、直流信号成分（ＤＣ成分）カット用のコンデンサＣ２とインピーダンス整合用のトランスＴＲ２とを介して、制御信号入出力端子ｔ２に接続され、ＨＰＦ５４の一方の信号入出力端は、ＤＣ成分カット用のコンデンサＣ３とインピーダンス整合用のトランスＴＲ３とを介して、映像信号入出力端子ｔ３に接続されている。
【００５４】
また、ＬＰＦ５２の他方の信号入出力端とＨＰＦ５４の他方の信号入出力端は、互いに接続され、その接続点は、インピーダンス整合用のトランスＴＲ１とＤＣ成分カット用のコンデンサＣ１とを介して、伝送信号入出力端子ｔ１に接続されている。
【００５５】
また、上記各信号入出力端子ｔ１〜ｔ３は、ツイストペア線に接続するために、それぞれ、一対の端子にて構成されているが、伝送信号入出力端子ｔ１及び映像信号入出力端子ｔ３を構成している一方の端子には、ＤＣ成分をグランドに落とすためのコイルＬ１，Ｌ３がそれぞれ接続されており、他方の端子は、ＤＣ成分（つまり直流電圧）のみを選択的に通過させるために、カットオフ周波数が例えば４０ｋＨｚに設定されたＬＰＦ５６を介して互いに接続されている。なお、このＬＰＦ５６は、本発明の直流通過フィルタに相当し、コイルＬ０１とコンデンサＣ０１とにより構成されている。
【００５６】
このように構成された図３の信号伝送装置は、制御信号入出力端子ｔ２と映像信号入出力端子ｔ３とに、それぞれ、制御信号及び映像信号を入力すれば、これら各信号を混合して、その混合信号を伝送信号入出力端子ｔ１から出力する混合器５０として機能させることができ、逆に、伝送信号入出力端子ｔ１に、制御信号と映像信号とが混合された伝送信号を入力すれば、この伝送信号を制御信号と映像信号とに分離して、これら各信号を制御信号入出力端子ｔ２及び映像信号入出力端子ｔ３から出力する分波器５１として機能させることができる。
【００５７】
また、伝送信号入出力端子ｔ１と映像信号入出力端子ｔ３とは、ＤＣ成分を通過させるためのＬＰＦ５６を介して接続されていることから、映像信号に重畳された直流電圧をこれら端子ｔ１−ｔ３間にて通過させることができる。
【００５８】
よって、図３に示した信号伝送装置を、混合器５０又は分波器５１として使用することにより、図１に示した本実施例のインターホンシステムを容易に構築することができるようになる。
［第２実施例］
次に図４は、本発明が適用された第２実施例のインターホンシステムの概略構成を示すブロック図である。
【００５９】
本実施例のインターホンシステムは、第１実施例のインターホンシステムと同様、集合住宅に構築された所謂集合インターホンシステムであり、基本的には、第１実施例のインターホンシステムと同様に構成されている。
【００６０】
そこで、以下の説明では、本実施例のインターホンシステムにおいて、第１実施例のインターホンシステムと異なる部分について詳細に説明し、第１実施例と同様の部分については、説明を省略する。
【００６１】
図４に示すように、本実施例のインターホンシステムにおいては、標準制御機３０の制御信号入出力用の端子が、集合住宅内に配線された制御幹線３８に直接接続されており、標準制御機３０の音声信号入出力用の端子が、音声線３５を介して、混合器８０に接続されている。
【００６２】
そして、混合器８０は、映像制御機４０から出力された映像信号と標準制御機３０から出力された音声信号とを混合して、集合住宅内に配線された音声幹線３２に出力すると共に、音声幹線３２を介して入力された居室機２０側からの音声信号を、音声線３５を介して標準制御機３０に出力する。
【００６３】
また、分岐器４２を介して制御幹線３８から分岐された制御線４８には、居室親機２２が接続されており、分岐器４２の音声幹線３２からの分岐端子には、分波器８１が設けられている。
【００６４】
そして、この分波器８１は、分岐器４２の分岐端子から入力された伝送信号を音声信号と映像信号（詳しくは映像信号＋直流電圧）とに分離し、その分離した音声信号を音声線４４を介して居室親機２２に出力すると共に、映像信号（詳しくは映像信号＋直流電圧）を映像線４９を介して居室モニタ２４に出力し、更に、居室親機２２から音声線４４を介して出力された音声信号を分岐器４２を介して音声幹線３２に出力する。
【００６５】
つまり、本実施例のインターホンシステムは、図２（ｃ）に示す如く、映像信号と音声信号と給電用の直流電圧（ＤＣ）とは、音声幹線３２を介して伝送し、制御信号については、制御幹線３８を介して伝送するようにされている。
【００６６】
従って、本実施例のインターホンシステムによれば、音声通話専用の既存の集合インターホンシステムをテレビインターホンシステムに変更する際に、従来のように集合住宅内に映像信号伝送用の映像幹線を配線することなく、集合住宅内に配線されている既存の音声幹線３２と混合器８０及び分波器８１とを利用して、映像信号を伝送することができるようになり、集合住宅において、テレビインターホンシステムを、簡単且つ低コストで実現できることになる。
【００６７】
次に、図５は、本実施例のインターホンシステムにおいて、混合器８０若しくは分波器８１として使用される信号伝送装置の構成を表す構成図である。
図５に示す如く、この信号伝送装置（混合器８０若しくは分波器８１）には、音声幹線３２又は分岐器４２の分岐端子に接続して、音声幹線３２に対して伝送信号を入出力するための伝送信号入出力端子ｔ４と、音声線３５又は４４に接続して音声信号を入出力するための音声信号入出力端子ｔ５と、映像線３６又は４９に接続して映像信号及び直流電圧を入出力するための映像信号入出力端子ｔ３と、映像信号を遮断して音声信号のみを通過させるためにカットオフ周波数が例えば１０ｋＨｚに設定されたＬＰＦ５８と、音声信号を遮断して映像信号のみを通過させるためにカットオフ周波数が例えば１ＭＨｚに設定されたＨＰＦ５４と、が備えられている。
【００６８】
そして、ＬＰＦ５８の一方の信号入出力端は、ＤＣ成分カット用のコンデンサＣ５とインピーダンス整合用のトランスＴＲ５とを介して、音声信号入出力端子ｔ５に接続され、ＨＰＦ５４の一方の信号入出力端は、ＤＣ成分カット用のコンデンサＣ３とインピーダンス整合用のトランスＴＲ３とを介して、映像信号入出力端子ｔ３に接続されている。
【００６９】
また、ＬＰＦ５８の他方の信号入出力端とＨＰＦ５４の他方の信号入出力端は、互いに接続され、その接続点は、インピーダンス整合用のトランスＴＲ４とＤＣ成分カット用のコンデンサＣ４とを介して、伝送信号入出力端子ｔ４に接続されている。
【００７０】
また、上記各信号入出力端子ｔ３〜ｔ５は、ツイストペア線に接続するために、それぞれ、一対の端子にて構成されているが、伝送信号入出力端子ｔ４及び映像信号入出力端子ｔ３を構成している一方の端子には、ＤＣ成分をグランドに落とすためのコイルＬ４，Ｌ３がそれぞれ接続されており、他方の端子は、ＤＣ成分（つまり直流電圧）のみを選択的に通過させるために、カットオフ周波数が例えば３００Ｈｚに設定されたＬＰＦ６０を介して互いに接続されている。なお、このＬＰＦ６０は、本発明の直流通過フィルタに相当し、コイルＬ０２とコンデンサＣ０２とにより構成されている。
【００７１】
このように構成された図５の信号伝送装置は、音声信号入出力端子ｔ５と映像信号入出力端子ｔ３とに、それぞれ、音声信号及び映像信号を入力すれば、これら各信号を混合して、その混合信号を伝送信号入出力端子ｔ４から出力する混合器８０として機能させることができ、逆に、伝送信号入出力端子ｔ４に、音声信号と映像信号とが混合された伝送信号を入力すれば、この伝送信号を音声信号と映像信号とに分離して、これら各信号を音声信号入出力端子ｔ５及び映像信号入出力端子ｔ３から出力する分波器５１として機能させることができる。
【００７２】
また、伝送信号入出力端子ｔ４と映像信号入出力端子ｔ３とは、ＤＣ成分（直流電圧）のみを選択的に通過させるためのＬＰＦ６０を介して接続されていることから、映像信号に重畳された直流電圧をこれら端子ｔ４−ｔ３間にて通過させることができる。
【００７３】
よって、図５に示した信号伝送装置を、混合器８０又は分波器８１として使用することにより、図４に示した本実施例のインターホンシステムを容易に構築することができるようになる。
［第３実施例］
次に図６は、本発明が適用された第３実施例のインターホンシステムの概略構成を示すブロック図である。
【００７４】
本実施例のインターホンシステムは、第１実施例及び第２実施例のインターホンシステムと同様、集合住宅に構築された所謂集合インターホンシステムであり、基本的には、第１実施例のインターホンシステムと同様に構成されている。
【００７５】
そこで、以下の説明では、本実施例のインターホンシステムにおいて、第１実施例及び第２実施例のインターホンシステムと異なる部分について詳細に説明し、上記各実施例と同様の部分については、説明を省略する。
【００７６】
図６に示すように、本実施例のインターホンシステムにおいては、標準制御機３０の制御信号入出力用の端子及び音声信号入出力用の端子が、それぞれ、制御線３４及び音声線３５を介して混合器９０に接続されている。また、混合器９０には、映像線３６を介して、映像制御機４０の映像信号出力用の端子も接続されている。
【００７７】
そして、混合器９０は、標準制御機３０から出力された音声信号及び制御信号と、映像制御機４０から出力された映像信号（詳しくは映像信号＋直流電圧）とを混合して、集合住宅内に配線された信号伝送用の幹線３３に出力すると共に、この幹線３３を介して入力された居室機２０側からの音声信号及び制御信号を、制御線３４及び音声線３５を介して標準制御機３０に出力する。
【００７８】
また、幹線３３から分岐器４３を介して分岐された分岐線には、分波器９１が接続されている。そして、この分波器９１は、分岐器４３の分岐端子から入力された伝送信号を音声信号と制御信号と映像信号（詳しくは映像信号＋直流電圧）とに分離し、その分離した音声信号及び制御信号を音声線４４及び制御線４８を介して居室親機２２に出力すると共に、映像信号（詳しくは映像信号＋直流電圧）を映像線４９を介して居室モニタ２４に出力し、更に、居室親機２２から音声線４４及び制御線４８を介して出力された音声信号及び制御信号を分岐器４３を介して幹線３３に出力する。
【００７９】
つまり、本実施例のインターホンシステムは、図２（ａ）に示した全ての伝送信号（つまり、音声信号、制御信号、映像信号、及び、給電用の直流電圧（ＤＣ））を、集合住宅内に配線されたツイストペア線からなる一つの幹線３３を介して伝送するようにされている。
【００８０】
従って、本実施例のインターホンシステムによれば、音声通話専用の既存の集合インターホンシステムをテレビインターホンシステムに変更する際に、従来のように集合住宅内に映像信号伝送用の映像幹線を配線することなく、集合住宅内に配線されている一つの幹線３３と混合器９０及び分波器９１とを利用して、映像信号を伝送することができるようになり、集合住宅において、テレビインターホンシステムを、簡単且つ低コストで実現できることになる。
【００８１】
次に、図７は、本実施例のインターホンシステムにおいて、混合器９０若しくは分波器９１として使用される信号伝送装置の構成を表す構成図である。
図７に示す如く、この信号伝送装置（混合器９０若しくは分波器９１）には、幹線３３又は分岐器４３の分岐端子に接続して、幹線３３に対して伝送信号を入出力するための伝送信号入出力端子ｔ６と、音声線３５又は４４に接続して音声信号を入出力するための音声信号入出力端子ｔ５と、制御線３４又は４８に接続して制御信号を入出力するための制御信号入出力端子ｔ２と、映像線３６又は４９に接続して映像信号及び直流電圧を入出力するための映像信号入出力端子ｔ３とが備えられている。
【００８２】
また、この信号伝送装置には、制御信号及び映像信号を遮断して音声信号のみを通過させるためにカットオフ周波数が例えば１０ｋＨｚに設定されたＬＰＦ５８と、音声信号を遮断して制御信号と映像信号とを通過させるためにカットオフ周波数が例えば５０ｋＨｚに設定された設定されたＨＰＦ６２と、このＨＰＦ６２を通過する制御信号と映像信号との混合信号の内、映像信号を遮断して制御信号のみを通過させるために、カットオフ周波数が例えば１００ｋＨｚに設定されたＬＰＦ５２と、同じく制御信号を遮断して映像信号のみを通過させるためにカットオフ周波数が例えば１ＭＨｚに設定されたＨＰＦ５４と、が備えられている。
【００８３】
そして、ＬＰＦ５８の一方の信号入出力端は、ＤＣ成分カット用のコンデンサＣ５とインピーダンス整合用のトランスＴＲ５とを介して、音声信号入出力端子ｔ５に接続され、ＬＰＦ５２の一方の信号入出力端は、ＤＣ成分カット用のコンデンサＣ２とインピーダンス整合用のトランスＴＲ２とを介して、制御信号入出力端子ｔ２に接続され、ＨＰＦ５４の一方の信号入出力端は、ＤＣ成分カット用のコンデンサＣ３とインピーダンス整合用のトランスＴＲ３とを介して、映像信号入出力端子ｔ３に接続されている。
【００８４】
また、ＬＰＦ５８の他方の信号入出力端とＨＰＦ６２の一方の信号入出力端は、互いに接続され、その接続点は、インピーダンス整合用のトランスＴＲ６とＤＣ成分カット用のコンデンサＣ６とを介して、伝送信号入出力端子ｔ６に接続され、更に、ＨＰＦ６２の他方の信号入出力端は、ＤＣ成分カット用のコンデンサＣ１とインピーダンス整合用のトランスＴＲ１とを介して、ＬＰＦ５２及びＨＰＦ５４の他方の信号入出力端に接続されている。
【００８５】
また、上記各信号入出力端子ｔ２，ｔ３，ｔ５，ｔ６は、ツイストペア線に接続するために、それぞれ、一対の端子にて構成されているが、伝送信号入出力端子ｔ６及び映像信号入出力端子ｔ３を構成している一方の端子には、ＤＣ成分をグランドに落とすためのコイルＬ６，Ｌ３がそれぞれ接続されており、他方の端子は、ＤＣ成分（つまり直流電圧）のみを選択的に通過させるために、カットオフ周波数が例えば３００Ｈｚに設定されたＬＰＦ６０を介して互いに接続されている。なお、このＬＰＦ６０は、図５に示したものと同様、本発明の直流通過フィルタに相当し、コイルＬ０２とコンデンサＣ０２とにより構成されている。
【００８６】
このように構成された図７の信号伝送装置は、音声信号入出力端子ｔ５、制御信号入出力端子ｔ２、及び、映像信号入出力端子ｔ３に、それぞれ、音声信号、制御信号、及び、映像信号を入力すれば、これら各信号を混合して、その混合信号を伝送信号入出力端子ｔ６から出力する混合器９０として機能させることができ、逆に、伝送信号入出力端子ｔ６に、音声信号と制御信号と映像信号とが混合された伝送信号を入力すれば、この伝送信号を、音声信号と制御信号と映像信号とに分離して、これら各信号を音声信号入出力端子ｔ５、制御信号入出力端子ｔ２、及び、映像信号入出力端子ｔ３からそれぞれ出力する分波器９１として機能させることができる。
【００８７】
また、伝送信号入出力端子ｔ６と映像信号入出力端子ｔ３とは、ＤＣ成分（直流電圧）のみを選択的に通過させるためのＬＰＦ６０を介して接続されていることから、映像信号に重畳された直流電圧を、これら端子ｔ６−ｔ３間にて通過させることができる。
【００８８】
よって、図７に示した信号伝送装置を、混合器９０又は分波器９１として使用することにより、図６に示した本実施例のインターホンシステムを容易に構築することができるようになる。
［変形例］
以上本発明を適用した３つの実施例について説明したが、本発明は、上記実施例に限定されるものではなく、本発明の技術的範囲内において、種々の態様を採ることができる。
【００８９】
例えば、上記各実施例では、混合器５０，８０，９０又は分波器５１，８１，９１として使用する信号伝送装置において、ツイストペア線からなる各種伝送線が接続される信号入出力端子ｔ１〜ｔ６と内部回路とは、インピーダンス整合用のトランスＴＲ１〜ＴＲ６を介して接続するものとして説明したが、上記各信号の伝送路のインピーダンスが全て一致しているような場合やフィルタの調整だけで伝送路のインピーダンスを整合させることができるような場合には、必ずしも、インピーダンス整合用のトランスＴＲ１〜ＴＲ６を設ける必要はない。
【００９０】
具体的には、例えば、図３に示した信号伝送装置であれば、図８に示す如く、ＬＰＦ５２をコンデンサＣ７と４つのコイルＬ７とにより構成すると共に、ＨＰＦ５４をコイルＬ８と４つのコンデンサＣ８とにより構成し、これらＬＰＦ５２及びＨＰＦ５４を、トランスＴＲ１〜ＴＲ３を用いることなく、信号入出力端子ｔ１〜ｔ３に接続するようにしてもよい。
【００９１】
また、例えば、図７に示した信号伝送装置であれば、図９に示す如く、ＬＰＦ５２をコンデンサＣ７と４つのコイルＬ７とにより構成し、ＨＰＦ５４をコイルＬ８と４つのコンデンサＣ８とにより構成し、ＬＰＦ５８をコンデンサＣ９と４つのコイルＬ９とにより構成し、ＨＰＦ６２をコイルＬ１０と４つのコンデンサＣ１０とにより構成し、更に、これら各フィルタ５２，５４，５８，６２を、トランスＴＲ１〜ＴＲ３或いはＴＲ５，ＴＲ６を用いることなく、信号入出力端子ｔ２，ｔ３，ｔ５，ｔ６に接続するようにしてもよい。
【００９２】
また次に、上記各実施例では、映像制御機４０がモニタ電源４１を備え、各居室内の居室モニタ２４には、このモニタ電源４１から電源供給を行うものとして説明したが、各居室毎にモニタ電源を設けるようにしてもよい。
【００９３】
また更に、上記各実施例では、本発明を集合住宅用のインターホンシステムに適用した場合について説明したが、本発明は、カメラ付集合玄関機１０に対応する戸建て用の玄関機と一つの居室機２０とから構成される１戸建て住宅用のインターホンシステムであっても、上記各実施例と同様に適用すれば、上記各実施例と同様の効果を得ることができる。
【図面の簡単な説明】
【００９４】
【図１】第１実施例のインターホンシステムの概略構成を示すブロック図である。
【図２】実施例のインターホンシステムにて伝送される伝送信号の種類、及び、第１実施例及び第２実施例で各信号を伝送するのに使用される幹線を説明する説明図である。
【図３】第１実施例のインターホンシステムにて混合器或いは分波器として使用するのに好適な信号伝送装置の構成を表す構成図である。
【図４】第２実施例のインターホンシステムの概略構成を示すブロック図である。
【図５】第２実施例のインターホンシステムにて混合器或いは分波器として使用するのに好適な信号伝送装置の構成を表す構成図である。
【図６】第３実施例のインターホンシステムの概略構成を示すブロック図である。
【図７】第３実施例のインターホンシステムにて混合器或いは分波器として使用するのに好適な信号伝送装置の構成を表す構成図である。
【図８】図３に示した信号伝送装置の変形例を表す説明図である。
【図９】図７に示した信号伝送装置の変形例を表す説明図である。
【符号の説明】
【００９５】
１０…カメラ付集合玄関機、１２…集合玄関機、１４…集合玄関カメラ、２０…居室機、２２…居室親機、２４…居室モニタ、３０…標準制御機、３２…音声幹線、３３…幹線、３４，４８…制御線、３５，４４…音声線、３６，４９…映像線、３８…制御幹線、４０…映像制御機、４１…モニタ電源、４２，４３…分岐器、５０，８０，９０…混合器、５１，８１，９１…分波器、Ｃ０１，Ｃ０２，Ｃ１〜Ｃ１０…コンデンサ、Ｌ０１，Ｌ０２，Ｌ１〜Ｌ１０…コイル、ＴＲ１〜ＴＲ６…トランス、５２，５６，５８…ＬＰＦ（ローパスフィルタ）、５４，６２…ＨＰＦ（ハイパスフィルタ）、ｔ１，ｔ４，ｔ６…伝送信号入出力端子、ｔ２…制御信号入出力端子、ｔ３…映像信号入出力端子、ｔ５…音声信号入出力端子。
【図１】
2005229421.tif 000003
【図２】
2005229421.tif 000004
【図３】
2005229421.tif 000005
【図４】
2005229421.tif 000006
【図５】
2005229421.tif 000007
【図６】
2005229421.tif 000008
【図７】
2005229421.tif 000009
【図８】
2005229421.tif 000010
【図９】
2005229421.tif 000011